(57)【特許請求の範囲】
【請求項１】
導水パイプを、杭に昇降自在に取り付けた先行杭と導水パイプとが上下運動を繰り返して、先行杭を岩盤に対して打設の後、その先行杭に取り付けた導水パイプを杭の頭より所定の高さ突出した部分で切断し、先行杭の上部に着脱可能に取り付けたガイド部材に、継ぎ杭の下端を導き、先行杭の上部にスペーサを介して継ぎ杭を仮置きし、先行杭の頭から突出した導水パイプに継ぎ杭に取り付けた導水パイプを連結し、継ぎ杭を一旦吊り上げて上記スペーサを除去した後に吊り下げることにより、先行杭に継ぎ杭を接合する岩盤への杭打工法における杭の連結方法。
【発明の詳細な説明】
【０００１】
【発明の属する技術分野】
本発明は、岩盤に対して鋼矢板や鋼管矢板などの杭を打設する際に、杭の打撃により破砕された破砕岩を導水パイプからの噴射水で排除し、そして杭を打設する杭打工法における先行杭に対し、継ぎ杭の連結を行う岩盤への杭打工法における杭の連結方法に関する。
【０００２】
【従来の技術】
従来、Ｎ値が５０以上の硬土盤や岩盤に対して、鋼矢板や鋼管矢板（以下本発明では杭として説明する）などを打設することが行われているが、図１０、図１１に示すように杭１を岩盤Ｄに対して図示されていないバイブロハンマー等で打設すると、杭１で破砕された破砕岩Ｈが図１１に示すごとくクッション材となり、打撃エネルギーが岩盤Ｄに伝達せず、岩盤Ｄを容易に破砕できないという問題があった。
【０００３】
そこで、図１２に示すごとく、振れ止め金物３を介して導水パイプ２を昇降自在に支持させた杭１を岩盤Ｄ上に立設し、この状態から導水パイプ２と接続する高水圧ポンプＢを始動させて高圧水を供給する一方、杭１に取り付けられたバイブロハンマーＡを始動させて杭１を岩盤Ｄに打込んで岩盤Ｄを破砕し、この杭１と導水パイプ２との交互昇降作動により破砕された被破砕岩Ｈを高圧水で排除しながら杭１を順次岩盤Ｄに打込むことを特徴とした岩盤への杭打工法が特公昭５７−１３６９０号の発明として知られている。
【０００４】
上記の発明は、図１３に示すごとく杭１が岩盤Ｄを破砕して反発力が跳ね上がった時に、導水パイプ２の噴射水が前記破砕岩Ｈを洗浄除去するように排除し、この導水パイプ２が噴射水の逆噴射力で跳ね上がった時に図１４のごとく杭１が落下して岩盤Ｄを打撃し破砕するようになっている。
即ち、上記のごとく、杭１と導水パイプ２とが交互に上下運動を繰り返し、残存した破砕岩Ｈによって１の打撃力が弱められることなく、直接岩盤Ｄを砕くことができるガン・パイル工法として知られている。
【０００５】
なお、この場合、導水パイプ２は図１２及び図１５に示すごとく、振れ止め金物３と杭１との間に形成された空隙に遊嵌され、かつ導水パイプ２は振れ止め金物３の上方で杭１から吊り金物５を介して吊り下げられて昇降自在になっており、また導水パイプ２の下端には、噴射水を噴出するノズル４が設けられている。上記のごときガン・パイル工法により岩盤Ｄに杭１を打設する場合、その打設深度が深くなると、打設ずみの先行杭の上部に継ぎ杭を連結する必要がある。この杭には図１５に示すごとく、所定の間隔をおいて複数の導水パイプ２が吊り金物５を介して昇降自在に取り付けられているので、先行杭と継ぎ杭との連結作業には時間を要すると共に、杭にはバイブロハンマーによる打設時に大きな力がかかるので、その連結作業は正確かつ確実に行われなければならず、さらに先行杭と継ぎ杭にそれぞれ取付けられた導水パイプ同志の接続も円滑に行う必要がある。
【０００６】
【発明が解決しようとする課題】
本発明は、ガン・パイル工法により杭を深い深度まで打設するため、先行杭の杭頭上に、継ぎ杭の杭底部を連結する際の連結作業の円滑さを図ると共に、各杭及びそれらに取り付けた各導水パイプ同志の連結及び接続を正確に、かつ確実に行いうる岩盤への杭打工法における杭の連結方法を提供する。
【０００７】
【課題を解決するための手段】
本発明は、導水パイプを吊り金物を介して杭に昇降自在に取り付けた先行杭と導水パイプとが交互に上下運動を繰り返して、先行杭を岩盤に対して打設の後、その先行杭に取り付けた導水パイプを杭頭より所定の高さ突出した直線部で切断し、先行杭の外周部に所定の間隔で着脱可能に取り付けたガイド部材の内側に、継ぎ杭の下端を導入して、先行杭の杭頭上にスペーサを介して仮置きすると同時に、先行杭頭に突出した導水パイプに継ぎ杭に取り付けた導水パイプをさし込み接続の後、継ぎ杭を一旦吊り上げて上記スペーサを除去した後に吊り下げることにより、先行杭に継ぎ杭を接合する岩盤への杭打工法における杭の連結方法からなる。
【０００８】
【発明の実施の形態】
以下図面を参照して本発明の岩盤への杭打工法における杭の連結方法を適用して杭の連結を行う一実施形態の工程につき順次説明する。
まず、本発明は図１２、図１３、図１４及び図１５で説明したガン・パイル工法により、図１のごとく導水パイプ２を吊り金具５を介して先行杭１１に昇降自在に取り付けて、先行杭１１と導水パイプ２とが交互に上下運動を繰り返すことにより先行杭１１を岩盤Ｄに対して打設する場合に適用するものであり、高圧水ポンプＢからの高圧水は導水パイプ２によりノズル４から噴射水として噴出するようになっている。
【０００９】
次に、上記ガン・パイル工法により図１の打設杭を深い深度の岩盤Ｄ中に打設する必要のある場合には、先行杭１１の打設を終了した後、その先行杭１１の上に継ぎ杭を継ぎ足すことになり、そこで図２に示すごとく、岩盤Ｄに打設ずみの先行杭１１に取り付けた（例えば図２のこの実施形態では２本）導水パイプ２の先行杭１１の杭頭より所定の高さＨ（例えばこの実施形態ではＨ＝２０ｃｍ）突出した直線部で図３のごとく切断する。なお、この導水パイプ２のＵ型の高圧ベンドパイプ１３はソケット材で製作するものとする。
【００１０】
引き続き、図４に示すごとく、打設を終了した先行杭１１の外周上部に所定の間隔でボルト１４等によりガイド部材１５を着脱可能に取り付けた上、これらガイド部材１５の内側に、図５に示すように継ぎ杭１２の下端を導入する。その際、上記ガイド部材１５の内側にはそれぞれ所定の高さのスペーサ１６を載置しておくが、このスペーサ１６は図７に示すごとく各ガイド部材１５の内側にそれぞれ一体に設けておくことが好ましい。
【００１１】
その際、上記継ぎ杭１２をクローラクレーンなどで吊った状態のまま、先行杭１１との位置を確認しながらホールドするが、継ぎ杭１２にそれぞれ吊り金物５で吊り下げられた導水パイプ２の下端は、継ぎ杭１２の下端から所定の高さ（この実施形態では２０ｃｍ）  長くセッティングしておくものとする。
次に、図６に示すごとく継ぎ杭１２の下端を上記各ガイド部材１５内に導入し、先行杭１１の杭上にスペーサ１６を介して図７に示す状態に仮置きすると同時に、図８に示すように先行杭１１の杭頭に突出した導水パイプ２に、継ぎ杭１２の下端に先行杭の導水パイプ２を差し込み、溶接Ｗ等により接続する。
【００１２】
そのあと、継ぎ杭１２をクローラクレーン等で一旦吊り上げた状態で、上記スペーサ１６を取り外して除去した後、再び吊り下げることにより、図９のごとく、先行杭１１と継ぎ杭１２とをドッキングさせ、ガイド部材１５を除去して接合部を矢印Ｗのごとく溶接して継ぎ杭作業を終了し、その後、図１２と同様な方法でガン・パイル工法による岩盤Ｄへの杭打作業を行うものである。
【００１３】
【発明の効果】
以上に説明した本発明の岩盤への杭打工法における杭の連結方法によれば、ガン・パイル工法により杭を深い深度で打設する際に、先行杭の杭頭上に継ぎ杭の杭底部を正確、かつ確実に連結することができ、しかも各杭本体に取り付けられた導水パイプの接続も容易に行うことができる。
【００１４】
また、上記先行杭に対して継ぎ杭を接合する現場作業が円滑に、かつ確実に行われ、ガン・パイル工法による岩盤への杭打作業能率の向上をはかることができる。
【図面の簡単な説明】
【図１】本発明の岩盤への杭打工法における杭の連結方法に適用される導水パイプを先行杭に取り付けた一実施形態における概略説明図である。
【図２】図１の連結方法の手順を説明する先行杭打設時の説明図である。
【図３】図２に続く導水パイプの直線部を切断した説明図である。
【図４】図３に続く先行杭の上部にガイド部材を取り付けた説明図である。
【図５】図４に続く継ぎ杭の建て込みを示す説明図である。
【図６】図５に続く、継ぎ杭を先行杭上にスペーサを介して仮置きした説明図である。
【図７】図６の矢印Ｄで示す要部拡大の説明用側面図である。
【図８】図６の矢印Ｃで示す要部拡大の導水パイプ同志の接続を示す説明図である。
【図９】図６に続く先行杭と継ぎ杭との接合時の説明図である。
【図１０】従来の工法により杭を岩盤に直接打設時の説明図である。
【図１１】図１０の打設時に打撃エネルギーが岩盤に伝達しない状態を示す説明図である。
【図１２】従来のガン・パイル工法における杭打工法の説明図である。
【図１３】図１２の工法により噴射水が杭の反発時に破砕岩を洗浄除去する説明図である。
【図１４】図１３の破砕岩の除去後に杭が岩盤を砕く状況の説明図である。
【図１５】図１２の杭に導水パイプを取り付けた一部切断で示す斜視図である。
【符号の説明】
１  杭                              ２  導水パイプ
５  吊り金物                      １１  先行杭
１２  継ぎ杭                        １５  ガイド部材
１６  スペーサ                        Ｄ  岩盤
【図１】
0003581232.tif 000002
【図２】
0003581232.tif 000003
【図３】
0003581232.tif 000004
【図４】
0003581232.tif 000005
【図５】
0003581232.tif 000006
【図６】
0003581232.tif 000007
【図７】
0003581232.tif 000008
【図８】
0003581232.tif 000009
【図９】
0003581232.tif 000010
【図１０】
0003581232.tif 000011
【図１１】
0003581232.tif 000012
【図１２】
0003581232.tif 000013
【図１３】
0003581232.tif 000014
【図１４】
0003581232.tif 000015
【図１５】
0003581232.tif 000016